(57)【要約】【課題】  本発明は、刃物を外部に露出することなく構成することにより、牛乳パックなどの直方体形状の紙容器を簡単かつ安全に解体できる紙容器解体具を提供する。【解決手段】  内部に直方体形状の紙容器を収納できる形状を有し、紙容器の長辺に対応した部分に溝状のスライド部２を有する直方体形状のガイド部１と、内部にカッター部４を有し、前記ガイド部の長辺方向に移動可能な直方体形状の解体部３を備え、前記解体部の移動に伴って、前記カッター部４が前期スライド部内を移動することにより、前記ガイド部に収納された紙容器の四隅を長辺方向に沿って切断する紙容器解体具。【選択図】  図１
2011143937.tif 000002
【特許請求の範囲】
【請求項１】
内部に直方体形状の紙容器を収納できる形状を有し、紙容器の長辺に対応した部分に溝状のスライド部を有する直方体形状のガイド部と、内部にカッター部を有し、前記ガイド部の長辺方向に移動可能な直方体形状の解体部を備え、前記解体部の移動に伴って、前記カッター部が前記スライド部内を移動することにより、前記ガイド部に収納された紙容器の四隅を長辺方向に沿って切断する紙容器解体具。
【請求項２】
解体部の側面に、空気流入部が設けられている請求項１記載の紙容器解体具。
【請求項３】
直方体形状の紙容器内に収納できる形状を有し、紙容器の長辺に対応した部分に溝状のスライド部を有する直方体形状のガイド部と、内部にカッター部を有し、前記ガイド部の長辺方向に移動可能な直方体形状の解体部を備え、前記解体部の移動に伴って、前記カッター部が前記スライド部に沿って移動することにより、前記ガイド部を内部に収納した紙容器の四隅を長辺方向に沿って切断する紙容器解体具。
【発明の詳細な説明】
【技術分野】
【０００１】
本発明は、牛乳パックなどの直方体形状の紙容器を簡単かつ安全に解体できる紙容器解体具に関するものである。
【背景技術】
【０００２】
牛乳パックなどの紙容器は、リサイクル利用可能のため単板状に分解する必要がある。一般に、この分解は手作業でなされるため、面倒でありリサイクルされずに、ごみとして廃棄されることも多い。
最近、特許文献１に示される牛乳パック類の解体具が提案されている。この解体具は口を開けた解体用の牛乳パック類に、側面に縦切断刃を設け、底辺にミシン目孔加工刃を設けた解体刃体を挿入移動させて、牛乳パック類を解体するものである。しかし、この例に示される解体刃体は、側面、底面に刃物が露出しているために、日常的に使用するには危険が多いという欠点がある。
さらに、特許文献１には、別の牛乳パック類の解体具が提案されている。これは、口を開けた解体用の牛乳パック類に容器保持具を挿入し、牛乳パック類の側面に凹部を係合させながらカッター保持具を移動させて、牛乳パック類の折り目部をカッターにより切断するものである。しかし、この例においても、カッター保持具の刃が外に露出しているので、同様に日常的に使用するには危険が多いという欠点がある。
【先行技術文献】
【特許文献】
【０００３】
【特許文献１】特開2004-275235号公報
【特許文献２】実開平5-26072号公報
【発明の概要】
【発明が解決しようとする課題】
【０００４】
本発明は、前記の課題に鑑み、刃物を外部に露出することなく構成することにより、牛乳パックなどの直方体形状の紙容器を簡単かつ安全に解体できる紙容器解体具を提供とするものである。
【課題を解決するための手段】
【０００５】
本発明の紙容器解体具は、内部に直方体形状の紙容器を収納できる形状を有し、紙容器の長辺に対応した部分に溝状のスライド部を有する直方体形状のガイド部と、内部にカッター部を有し、前記ガイド部の長辺方向に移動可能な直方体形状の解体部を備え、前記解体部の移動に伴って、前記カッター部が前期スライド部内を移動することにより、前記ガイド部に収納された紙容器の四隅を長辺方向に沿って切断するものである。
また、本発明の紙容器解体具は、解体部の側面に、空気流入部が設けられている上記に記載のものである。
更に、本発明の紙容器解体具、直方体形状の紙容器内に収納できる形状を有し、紙容器の長辺に対応した部分に溝状のスライド部を有する直方体形状のガイド部と、内部にカッター部を有し、前記ガイド部の長辺方向に移動可能な直方体形状の解体部を備え、前記解体部の移動に伴って、前記カッター部が前記スライド部に沿って移動することにより、前記ガイド部を内部に収納した紙容器の四隅を長辺方向に沿って切断するものである。
【発明の効果】
【０００６】
本発明の紙容器解体具は、カッター部が解体部内に存在しているために、刃物を外部に露出することがなく、牛乳パックなどの直方体形状の紙容器を簡単かつ安全に解体できるので、日常的に使用される容器解体具としては、きわめて優れたものである。
さらに、本発明の紙容器解体具は、解体部の側面に空気流入部が設けられているために、ガイド部を牛乳パックなどの直方体形状の紙容器をガイド部に挿入し、逆さまな状態にして解体部に載置すれば、安定な状態で紙容器の乾燥を実現でき、その後、解体すれば、リサイクル作業が効率化する。
【図面の簡単な説明】
【０００７】
【図１】本発明の紙容器解体具の全体斜視図である。
【図２】本発明の紙容器解体具の解体部の分解側面図である。
【図３】本発明の紙容器解体具による解体途中を示す斜視図である。
【図４】本発明の他の実施態様例を示す紙容器解体具による解体状態を示す斜視図である。
【発明を実施するための形態】
【０００８】
以下、本発明の実施の形態を図にそって説明する。
本発明の紙パック解体器の全体斜視図を図１に示す。本紙パック解体器は解体部３とガイド部１より構成されるものである。ここで、ガイド部１は解体時に紙パックが変形するのを防ぐものであり、解体部３は紙パックを解体する部位である。ガイド部１の四隅にはそれぞれスライド部２が形成されている。解体時に解体部３のカッター部(後述)が、スライド部2に沿って、移動させることにより、解体部３がズレを防ぐことができる。
図２は解体部３の詳細を示すもので、同図２(a)は解体部３の角状枠，同図２(b)はカッター部４を示す。角状枠５の内側一辺の長さは紙パックの一辺より微大で、四隅にはカッター部４の高さに合わせた溝６が掘ってあり、カッター部４が対角状に収まる構造となっている。図２(c)にカッター部４の分解図を示す。カッター部４は図に示すように一枚一枚のプレート８に分解でき、それぞれの中央にプレートの幅に合わせた切れ込みを入れることでプレート同士を組み合わせられる。そして、プレート両端の紙パックが接触する部分にのみ刃部９を設けて刃の露出部を減らし、刃をプレートより飛び出さなくすることで、刃で怪我をする危険性を低減できる。
次に、上記構成につきその作用を図３及び図４(a)(b)(c)の使用図に基づいて説明する。図３に示すようにガイド部１のスライド部２に合わせ解体部３のカッター部４を嵌め込み下端までスライドさせることで紙パックを乾燥させる乾燥台となる。紙パックは水切りをするために逆さにして置くと安定性が悪くなり、少し触れただけで倒れる。そこで、洗浄し上部を開口した紙パックをガイド部１を覆うように被せれば安定した状態で乾燥させることができる(図４(a)参照)。乾燥後、上下を引っくり返し解体部３をスライド部２にそって下部へ移動させる(図４(b)参照)ことで紙パックの四隅それぞれを上端から下端まで切断でき、ワン動作で単板状に解体できる。(図４(c)参照)。この際、刃の露出部分は無いため安全である。したがって、前記の記述の要領で本発明を用いれば、乾燥から解体までの一連の動作を煩わしい手間なく、容易に且つ安全に行える。
【符号の説明】
【０００９】
１  ガイド部
２  スライド部
３  解体部
４  カッター部
５  角状枠
６  カッター部はめ込み溝
７  空気流入部
８  プレート
９  刃部
１０  紙パック
【図１】
2011143937.tif 000003
【図２】
2011143937.tif 000004
【図３】
2011143937.tif 000005
【図４】
2011143937.tif 000006